(57)【要約】【課題】運転に悪影響を与えることなく、キャブの内部空間を広げてオペレータへの圧迫感を低減する建設機械を提供する。【解決手段】クローラ本体１に対して旋回する上部旋回体２に、キャブ１１の運転装置と、運転装置にクローラ本体幅方向で隣接する設置部５とを備える建設機械であって、キャブ側面１１ａに、キャブ１１の内部空間を広げるように設置部５の上方へ張り出す拡張部２０を備える。【選択図】図１
2011184853.tif 000002
【特許請求の範囲】
【請求項１】
クローラ本体に対して旋回する上部旋回体に、キャブの運転装置と、該運転装置にクローラ本体幅方向で隣接する設置部とを備える建設機械であって、キャブ側面に、キャブの内部空間を広げるように設置部の上方へ張り出す拡張部を備えたことを特徴とする建設機械。
【請求項２】
前記キャブ側面の拡張部を、キャブ下端から鉛直方向上側へ向かう内側基準線と、上部旋回体の旋回半径の位置で鉛直方向へ向かう外側基準線との間に配置することを特徴とする請求項１に記載の建設機械。
【請求項３】
前記設置部は、外装カバーと内容物を備え、該内容物はタンク、油圧機器、バッテリ、電気機器、熱交換器、カウンタウエイトから選択される１つ以上のものであることを特徴とする請求項１に記載の建設機械。
【請求項４】
前記設置部の外装カバーが、キャブ側へ開くように構成され、且つ開いた外装カバーのうちキャブに対向する面が、キャブ側面の拡張部の外側基準線になることを特徴とする請求項３に記載の建設機械。
【請求項５】
設置部の外装カバーが側方へ引き抜き可能に構成されたことを特徴とする請求項３に記載の建設機械。
【発明の詳細な説明】
【技術分野】
【０００１】
本発明は、油圧ショベル等の建設機械に関するものである。
【背景技術】
【０００２】
一般に油圧ショベル等の建設機械は、図５〜図７に示す如くクローラ本体１の上方に旋回可能な上部旋回体２を備え、上部旋回体２の前方には作業装置３が配置されていると共に、上部旋回体２の一側にはキャブ４が搭載されている。更に上部旋回体２の他側には、クローラ本体幅方向でキャブ４と隣接する設置部５が備えられている。
【０００３】
設置部５は、外装カバー６と内容物（図示せず）を備えて構成されており、外装カバー６は、キャブ側面４ａに密接する仕切用カバー７と、仕切用カバー７に設置されたヒンジ８によりキャブ側へ開放可能なカバー本体９とを備えている。また内容物は、燃料タンク１０や油圧機器等（図示せず）から構成されている。
【０００４】
油圧機器等の点検の場合には、カバー本体９を上方へ開いて外装カバー６を開放状態にし、油圧機器等の点検を行っている。
【０００５】
なお、本発明と関連性が高い建設機械の先行技術文献情報としては、例えば、下記の特許文献１等がある。
【先行技術文献】
【特許文献】
【０００６】
【特許文献１】特開２００６−６３６８６号公報
【発明の開示】
【発明が解決しようとする課題】
【０００７】
しかしながら、このような建設機械であってクローラ幅の狭い小型の油圧ショベルの場合には、設置部５の位置によってキャブ４の配置が制限され、キャブ４の内部空間が狭いという問題があった。また近年、オペレータの体格が大きくなっているに伴い、キャブ４の内部空間の狭さによりオペレータに圧迫感を与えるという問題があり、キャブ４の内部空間を広げることが求められていた。更にキャブ４を外方へ広げる場合には、上部旋回体２の旋回等に悪影響を与えるという問題があった。
【０００８】
本発明は上述の実情に鑑みてなしたもので、運転に悪影響を与えることなく、キャブの内部空間を広げてオペレータへの圧迫感を低減する建設機械を提供することを目的としている。
【課題を解決するための手段】
【０００９】
本発明は、クローラ本体に対して旋回する上部旋回体に、キャブの運転装置と、該運転装置にクローラ本体幅方向で隣接する設置部とを備える建設機械であって、キャブ側面に、キャブの内部空間を広げるように設置部の上方へ張り出す拡張部を備えたことを特徴とする建設機械にかかるものである。
【００１０】
本発明の建設機械において、前記キャブ側面の拡張部を、キャブ下端から鉛直方向上側へ向かう内側基準線と、上部旋回体の旋回半径の位置で鉛直方向へ向かう外側基準線との間に配置することが好ましい。
【００１１】
本発明の建設機械において、前記設置部は、外装カバーと内容物を備え、該内容物はタンク、油圧機器、バッテリ、電気機器、熱交換器、カウンタウエイトから選択される１つ以上のものであることが好ましい。
【００１２】
本発明の建設機械において、前記設置部の外装カバーが、キャブ側へ開くように構成され、且つ開いた外装カバーのうちキャブに対向する面が、キャブ側面の拡張部の外側基準線になることが好ましい。
【００１３】
本発明の建設機械において、設置部の外装カバーが側方へ引き抜き可能に構成されることが好ましい。
【発明の効果】
【００１４】
本発明の建設機械によれば、キャブ側面に、設置部の上方へ張り出す拡張部を備えるので、上部旋回体の旋回等に悪影響を与えることなく、キャブの内部空間を広げてオペレータへの圧迫感を低減することができるという優れた効果を奏し得る。
【図面の簡単な説明】
【００１５】
【図１】本発明を実施する形態の第一例を示す概念正面図である。
【図２】本発明を実施する形態の第一例において運転装置及び設置部の内部を示す概念正面図である。
【図３】キャブの代わりにキャノピーを設置した状態を示す概念正面図である。
【図４】本発明を実施する形態の第二例を示す概念正面図である。
【図５】従来の建設機械を示す側面図である。
【図６】従来の建設機械を示す平面図である。
【図７】従来の建設機械を示す概念正面図である。
【発明を実施するための形態】
【００１６】
以下、本発明の実施の形態の第一例を図１〜図３を参照して説明する。なお、図中、図５〜図７と同一の符号を付した部分は同一物を表わしている。
【００１７】
実施の形態の第一例の建設機械は、上部旋回体２に、キャブ１１の運転装置１２（図２参照）と、運転装置１２とクローラ本体幅方向で隣接する設置部５とを備えている。
【００１８】
運転装置１２は、図２に示す如くレバー１３、ペダル１４、スイッチ（図示せず）等を備えるものであり、クローラ本体１の走行、上部旋回体２の旋回、作業装置３の操作を為し得るようになっている。
【００１９】
設置部５は、外装カバー６と内容物１５を備えて構成されている。外装カバー６は、キャブ側面１１ａに密接する仕切用カバー７と、仕切用カバー７に固定されたヒンジ８によりキャブ１１側へ開放可能なカバー本体９とを備えており、外装カバー６は、閉止時にカバー本体９の天井面９ａがキャブ１１のシートＳの座面とほぼ同じ高さになっており、開放時にはヒンジ８の展開部と固定部が所定角度に屈曲し、カバー本体９の天井面９ａがほぼ垂直になって静止するようになっている。また外装カバー６の仕切用カバー７は、ヒンジ８の固定部を設置し得る厚みを有して設置されている。一方、内容物１５は、燃料タンク１６、作動油タンク１７、油圧機器１８、バッテリ１９、電気機器（図示せず）、熱交換器（図示せず）、カウンタウエイト（図示せず）等から選択される１つ以上のもので構成されている。また作動油タンク１７等への給油や油圧機器１８の点検の際には、カバー本体９を上方へ開いて開放状態にし、作動油タンク１７等への給油や油圧機器１８の点検を行うようにしている。なお図２では油圧機器１８を運転装置１２の下部に配置するものとして示している。
【００２０】
キャブ１１は、図１に示す如く設置部５側のキャブ側面１１ａ、設置部５と反対側のキャブ側面１１ｂ、キャブ前面１１ｃ、キャブ後面（図示せず）、屋根１１ｄを備えるものであり、設置部５側のキャブ側面１１ａには、設置部５の上方へ張り出す拡張部２０を備えている。拡張部２０は、キャブ１１下端から鉛直方向上側へ向かう内側基準線Ｌ０と、上部旋回体２の旋回半径Ｒ（図６参照）の位置で鉛直方向へ向かう外側基準線Ｌ１との間に配置されるものであり、外装カバー６の開放時にカバー本体９の天井面９ａがキャブ側面１１ａに対向する場合には、カバー本体９の天井面９ａを通る鉛直線が外側基準線Ｌ１ａになっている。またカバー本体９の天井面９ａに凹凸がある場合には、外装カバー６の開放時にキャブ１１に最も近接する凸部端の位置を基準にし、当該位置を通る鉛直線を外側基準線としている。更に設置部５の拡張部２０を具体的に説明すると、拡張部２０は、内側基準線Ｌ０から張り出して設置部５のヒンジ８の上方に位置する拡幅部２１と、拡幅部２１の先端からほぼ垂直に上方へ延在する側面部２２とから構成されており、拡幅部２１及び側面部２２は、外装カバー６の開放時のカバー本体９に接触しないように外側基準線Ｌ１ａに近接している。ここでキャブ１１を組み立てる際には、クレーン等の搬送手段（図示せず）によりキャブ１１を吊り下げ、キャブ１１を運転装置１２の上方から降下させ、運転装置１２と設置部５の間にキャブ側面１１ａを差し込み、運転装置１２を囲むようにキャブ１１を設置している。なおキャブ１１の代わりに図３に示すキャノピー２３を設置しても良い。
【００２１】
次に実施の形態の第一例に適用される建設機械を説明する。建設機械は、油圧ショベルであって運転装置１２の前方に作業装置３が配置され且つクローラ幅の狭い小型のものである。更に具体的な条件としては、上部旋回体２の旋回中心から上部旋回体２の後端までの後端旋回半径と、クローラの作業時の最大横幅であるクローラ全幅とを基準にし、次式で定義される後端旋回半径比が１２０％以内のものである。
［式１］
後端旋回半径比（％）＝（後端旋回半径）×２／（クローラ全幅）×１００
【００２２】
なお建設機械は油圧ショベルに限定されるものでなく、他の構造のパワーショベル、クレーン、ブルドーザ、他の工事用機械でも良いが、運転装置１２と設置部５の間に作業装置３が配置される構成を含むものではない。
【００２３】
而して、実施の形態の第一例によれば、キャブ側面１１ａに、設置部５の上方へ張り出す拡張部２０を備えるので、上部旋回体２の旋回等に悪影響を与えることなく、キャブ１１の内部空間を広げてオペレータへの圧迫感を低減することができる。またキャブ１１の居住性を高め、オペレータに快適な運転空間を提供するので、オペレータの疲労軽減を促進することができる。更にキャブ１１の拡張部２０は、オペレータの上半身側の内部空間を広げる一方で、設置部５に影響を与えることないので、設置部５の設計変更を不要にすることができる。更にまた、拡張部２０より下方の下側面は、従来と同じ構成を備えるので、キャブ１１を組み付ける際にキャブ１１を運転装置１２の上方から降下させて容易に設置することができる。また拡張部２０は、空調配管（図示せず）や収納ボックス（図示せず）のスペースとして利用することができる。
【００２４】
実施の形態の第一例において、キャブ側面１１ａの拡張部２０を、キャブ１１下端から鉛直方向上側へ向かう内側基準線Ｌ０と、上部旋回体２の旋回半径Ｒの位置で鉛直方向へ向かう外側基準線Ｌ１との間に配置するので、上部旋回体２の旋回、クローラ本体１の走行、作業装置３の運転に悪影響を与えることがなく、キャブ１１の内部空間を広げると同時に建設機械を適切に使用することができる。
【００２５】
実施の形態の第一例において、外装カバー６のカバー本体９が、キャブ１１側へ開くように構成され、且つ開いたカバー本体９のうちキャブ１１に対向する天井面９ａが、キャブ側面１１ａの拡張部２０の外側基準線Ｌ１ａになると、拡張部２０が外装カバー６の開閉の障害となることがなく、燃料タンク１６や作動油タンク１７への給油、油圧機器１８、バッテリ１９、電気機器（図示せず）、熱交換器（図示せず）、カウンタウエイト（図示せず）の点検等を容易に行い得るので、キャブ１１の内部空間を広げると同時に建設機械を好適に使用することができる。
【００２６】
以下、本発明の実施の形態の第二例を図４を参照して説明する。なお図中、図１〜図３と同一の符号を付した部分は同一物を表わしている。
【００２７】
実施の形態の第二例の建設機械は、設置部及びキャブの構成を変形したものであり、上部旋回体２及び運転装置１２は第一例と同じ構成を備えている。
【００２８】
設置部２４は、外装カバー２５と内容物１５（図２参照）を備えて構成されている。外装カバー２５は、キャブ側面に密接する仕切用カバー２６と、仕切用カバー２６から分離するカバー本体２７とを備えており、カバー本体２７は、天井面２７ａの位置がキャブ２８のシートＳの座面（図２参照）とほぼ同じ高さを備え、更にキャブ２８と離間する方向へスライドし得るように側部外方へ引き抜き可能に構成されている。一方、内容物１５（図２参照）は、第一例と同様に燃料タンク１６、作動油タンク１７（図２参照）、油圧機器１８、バッテリ１９、電気機器（図示せず）、熱交換器（図示せず）、カウンタウエイト（図示せず）等から選択される１つ以上のもので構成されている。また作動油タンク１７等への給油や油圧機器１８の点検の際には、カバー本体２７を側方へ引き抜いて内容物１５を露出状態にし、作動油タンク１７等への給油や油圧機器１８の点検を行うようにしている。
【００２９】
キャブ２８は、図４に示す如く設置部２４側のキャブ側面２８ａ、設置部２４と反対側のキャブ側面２８ｂ、キャブ前面２８ｃ、キャブ後面（図示せず）、屋根２８ｄを備えるものであり、設置部２４側のキャブ側面２８ａには、設置部２４の上方へ張り出す拡張部２９を備えている。拡張部２９は、キャブ下端から鉛直方向上側へ向かう内側基準線Ｌ０と、上部旋回体２の旋回半径Ｒ（図６参照）の位置で鉛直方向へ向かう外側基準線Ｌ１との間に配置されるものである。また設置部２４の拡張部２９を具体的に説明すると、拡張部２９は、内側基準線Ｌ０から張り出して外装カバー２５の上方に位置する拡幅部３０と、拡幅部３０の先端からほぼ垂直に上方へ延在する側面部３１とから構成されている。ここでキャブ２８を組み立てる際には、第一例と同様にクレーン等の搬送手段（図示せず）によりキャブ２８を吊り下げ、キャブ２８を運転装置１２（図２参照）の上方から降下させ、運転装置１２と設置部２４の間にキャブ側面２８ａを差し込み、運転装置１２を囲むようにキャブ２８を設置している。なおキャブ２８の代わりに図３に示すキャノピー２３を設置しても良い。
【００３０】
また実施の形態の第二例に適用される建設機械を説明すると、建設機械は第一例と同じものである。
【００３１】
而して、実施の形態の第二例によれば、第一例と同じ作用効果を得ることができる。
【００３２】
実施の形態の第二例において、設置部２４の外装カバー２５が側方へ引き抜き可能に構成されると、第一例の外装カバー６に比べて外側基準線Ｌ１の位置が緩和されるので、キャブ２８の内部空間を大幅に広げてオペレータへの圧迫感を一層低減することができる。またキャブ側面２８ａに対して設計の自由度を高めることができる。
【００３３】
尚、本発明の建設機械は、上述の図示例にのみ限定されるものではなく、本発明の要旨を逸脱しない範囲内において種々変更を加え得ることは勿論である。
【符号の説明】
【００３４】
１    クローラ本体
２    上部旋回体
５    設置部
６    外装カバー
１１    キャブ
１１ａ  設置部側のキャブ側面
１２    運転装置
１５    内容物
１６    燃料タンク
１７    作動油タンク
１８    油圧機器
１９    バッテリ
２０    拡張部
２４    設置部
２５    外装カバー
２８    キャブ
２８ａ  設置部側のキャブ側面
２９    拡張部
Ｌ０    内側基準線
Ｌ１    外側基準線
Ｌ１ａ  外側基準線
Ｒ    旋回半径
【図１】
2011184853.tif 000003
【図２】
2011184853.tif 000004
【図３】
2011184853.tif 000005
【図４】
2011184853.tif 000006
【図５】
2011184853.tif 000007
【図６】
2011184853.tif 000008
【図７】
2011184853.tif 000009